(57)【特許請求の範囲】
【請求項１】
有底状のバケツ本体(1) に把手(20)が取付けられてなる釣り用バケツであって、前記把手(20)にはバケツ本体(1) に取付けるための取付軸(25)を有してなり、且つ前記バケツ本体(1) には取付軸(25)が起伏状態を変更すべく回動自在に連結できる連結孔(4) を有してなり、該連結孔(4) は少なくとも把手(20)を起立状態とした際に前記取付軸(25)がバケツ本体(1) の外側にスライド可能に設けられてなることを特徴とする釣り用バケツ。
【請求項２】
前記把手(20)の上部側がバケツ本体(1) の内側に曲設せしめられてなる請求項１記載の釣り用バケツ。
【請求項３】
前記バケツ本体(1) の連結孔(4) を有する連結部(3) 、及び、把手(20)が何れも合成樹脂より形成されてなる請求項１又は２記載の釣り用バケツ。
【発明の詳細な説明】
【０００１】
【発明の属する技術分野】
本願発明は、釣り用バケツに関するものであり、例えば、魚釣りに際して餌等を収納せしめるための釣餌バケツに適したものである。
【０００２】
【従来の技術】
従来より、上記釣餌バケツはバケツ本体に把手が取付けられたものが一般的に用いられており、この種バケツは、用途より釣りをしている際には釣人の隣に置かれ、また運搬時には把手を持って持ち運ばれるものである。
よって、この種釣り用バケツにあっては、把手が、運搬時には持ちやすいように立ち上がり、釣りをしている際には邪魔にならないように垂れ下がっていることが好ましい。
【０００３】
このため、バケツ本体にその上縁と平行な取付軸を設けて、把手の端部に上方が狭まった変形可能な環状部を設けて、この環状部に取付軸が挿通されるように両者を連結した釣り用バケツが公知である。
かかる釣り用バケツにあっては、把手を上方に回動して立ち上がらせしめ、把手の自重により把手の環状部の上方の狭まった部分を変形せしめつつ取付軸に挿着することで、この立ち上がり状態を維持せしめることができ、また、この立ち上がり状態の把手を上方に引き上げて、把手を下方に回動せしめることにより、把手を垂れ下がらせるものであった。
【０００４】
【発明が解決しようとする課題】
しかるに、上記公知の釣り用バケツにあっては、把手の環状部の変形により把手の立ち上がり状態を維持せしめるものゆえ、確実に把手の起立状態を維持することができず、環状部の弾性等によって取付軸を中心に把手が不用意に回動して、把手が垂れ下がってしまい、次に把手を把持して搬送する際に把手を立ち上がらせる必要があった。
【０００５】
さらに、上記環状部の形成に関して、把手の端部を反転せしめて、把手の端部の内面とその中途部の内面とを重ね合わせて、両者をリベット止めして固定することにより、環状部が形成されるものであるが、かかるリベットに水が付着等することで錆等が発生するという問題を有していた。
【０００６】
また、釣りを行っている際に、上記リベット部分に釣糸が引っ掛かってしまうという問題をも有していた。
【０００７】
そこで、本願発明は、このような問題を解決すべくなされたものであり、本願発明の第一の課題は、所望に応じて把手の立ち上がり状態、垂れ下がり状態を確実に維持することのできる釣り用バケツを提供することにある。
また、本願発明の第二の課題は、把手及び把手の取付部において錆が発生しない釣り用バケツを提供することにある。
【０００８】
【課題を解決するための手段】
本願発明は、上記第一の課題を解決すべくなされたものであり、本願発明に係る釣り用バケツにあっては、有底状のバケツ本体1 に把手20が取付けられてなる釣り用バケツであって、前記把手20にはバケツ本体1 に取付けるための取付軸25を有してなり、且つ前記バケツ本体1 には取付軸25が起伏状態を変更すべく回動自在に連結できる連結孔4 を有してなり、該連結孔4 は少なくとも把手20を起立状態とした際に前記取付軸25がバケツ本体1 の外側にスライド可能に設けられてなることを特徴とする。
【０００９】
本願発明に係る釣り用バケツにあっては上記構成からなるので、垂れ下がった状態から連結孔4 内で取付軸25を回動して把手20を起立せしめることができ、この状態で取付軸25をバケツ本体1 の外側にスライドせしめると把手20の上端側がバケツ本体1 の内側に傾斜するので、把手20の自重で把手20の起立状態を維持することができる。
【００１０】
また、本願発明にあっては、請求項２記載の如く、把手20の上部側がバケツ本体1 の内側に曲設せしめられてなる構成を採用することもできる。
【００１１】
該構成からなる請求項２記載の釣り用バケツにあっては、把手20の起立状態を維持せしめる際に、把手20の上部側がバケツ本体1 の内側に曲折されてなるので、把手20の自重で把手20の起立状態をより確実に維持することができるという利点を有する。
【００１２】
さらに、本願発明にあっては、前記第二の課題を解決すべく、請求項３記載の如く前記バケツ本体1 の連結孔4 を有する連結部3 、及び、把手20が何れも合成樹脂より形成されてなる構成を採用することもできる。
【００１３】
該構成からなる釣り用バケツにあっては、連結部3 及び把手20が合成樹脂よりなるので、錆等の発生するおそれがないという利点を有する。
【００１４】
【発明の実施の形態】
本発明に係る釣り用バケツの一実施の形態について、図１乃至図４を参酌しつつ、バケツ本体1 と、該バケツ本体1 の正面側及び背面側に夫々取付軸25により回動自在に取付けられた略倒コの字状の把手20とからなる釣り用バケツについて、以下説明する。
【００１５】
バケツ本体1 は、上面に開口部を有し且つ有底の方形状に形成されてなり、該バケツ本体1 は、可撓性及び非浸水性を有する合成樹脂シートが縫製等されて形成されてなる。
なお、該バケツ本体1 の開口部は蓋体（図示せず）によって開閉可能に設けられてなり、該蓋体も可撓性及び非浸水性を有する合成樹脂シートから構成されてなる。
【００１６】
また、該バケツ本体1 の前壁及び後壁には、前記把手本体20の取付軸25を取付けるための連結部3,3 が左右に一対外側に向けて突設された連結具2 が固着されてなり、該連結部3,…が前壁及び後壁において互いに対向するように連結具2,2 は夫々固着されてなる。尚、該連結部3 は合成樹脂により一体成形されて形成されてなる。
【００１７】
さらに、該連結部3 には、図３に示すように前記取付軸25が回動自在で且つ水平方向に摺動可能な連結孔4 が水平方向に形成されてなる。これにより、把手20は上下方向に回動せしめて起伏状態を選択できるよう構成され、且つ起立状態にある把手20の取付軸25を外側に摺動せしめることで把手20の自重により取付軸25がバケツ本体1 の外側の該連結孔4 の内側壁と当接した状態となり、把手20の起立状態が維持されるよう構成されてなる。
なお、この把手の取付軸25と当接する連結孔4 の内側壁は取付軸25の形状と合致した半円状に形成されてなる。また、該連結孔4 は内面の上壁と下壁とが略平行な長穴に形成されてなる。
【００１８】
前記把手20は、合成樹脂からなり、両側の柱部21,21 と該柱部21,21 の間で水平に設けられた把持部22とから正面視略倒コの字状に形成されてなる。ここで、該把手20は一体成形により形成されてなる。
該把手本体20の柱部21は、その下端部（把手本体の両端部）がバケツ本体1 に取付けるための取付部23として形成されてなり、該取付部23は、図２に示す如く前記柱部21の下端部で内部に孔部が形成されるよう両側に立設された側壁部24,24 と、該側壁部24,24 の下方で両者に下端が連結された前記取付軸25とから構成されてなり、該取付軸25は断面円形状で水平に設けられてなる。ここで、取付軸25は前記連結孔4 の上下幅と略同一の幅の外径を有してなる。
【００１９】
また、該取付部23の上端付近（屈曲部21a ）において柱部21（把手20）は図３に示す如くバケツ本体1 の内側に屈曲されてなり、全体として側面視略くの字状に把手20は形成されてなる。
なお、把手20を上方に回動した際に柱部21の屈曲部21a がバケツ本体1 の上縁と略同一高さに位置するように、前記屈曲部21は設けられてなる。
【００２０】
また、把手20の一対の柱部21,21 の間の把持部22は、人が把持できるように形成されてなり、該把持部22には、図２及び図４に示す如く把持軸体26よりも正面側及び背面側に突出したリング状部材27, …が一定間隔Ｌごとに形成されてなる。
なお、把持軸体26は、図２に示す如く、下面が中央部において下方に大きくなるように、湾曲して設けられてなり、前記リング状部材27は夫々その上端及び下端が把持軸体26と面一となるように設けられてなる。
【００２１】
また、各リング状部材27は、図４に示す如く把持軸体26から外周面27a にかけて幅（把持部22の軸方向の長さ）が狭くなるように傾斜して設けられてなり、その外周面27a の幅は、リング状部材27の間隔Ｌと同一に形成されてなる。
これにより、この突出部28たる該リング状部材27の外周面27a が、他のリング状部材27の傾斜面27b 及び把持軸体26の側面より構成される段部29に嵌入可能に設けられてなる。
【００２２】
さらに、このリング状部材27より構成される突出部28及び段部29は一対の取付部23の中間位置Ｃから、一方（図２において右側）にかけて、まず突出部28が位置し、順次段部29と突部28とが交互に位置するように配置されてなり、他方（図２において左側）にかけて、まず段部29が位置し、順次突出部28と段部29とが交互に位置するように配置されてなる。
【００２３】
本実施形態の釣り用バケツは上記構成からなるが、次にこの釣り用バケツの使用方法について説明する。
【００２４】
まず、本実施形態の釣り用バケツを持ち運ぶに際しては、正面側及び背面側の把手20,20 を上方に回動して両者の挟持部22,22 同士が当接するように立設せしめて、この立設した状態の正面側及び背面側の把手20,20 の挟持部22,22 を挟持して、運搬する。
この際、把手20の柱部21には屈曲部21a で略くの字状に屈曲せしめられ、且つこの屈曲部21a がバケツ本体1 の上縁付近に位置するので、把持部22同士を当接させ易いという利点を有する。
【００２５】
また、突部28と段部29とが中間位置Ｃから一定間隔ごとに一方側にかけて突部28、段部29が順次形成され、他方側にかけて段部29、突部28が順次形成されてなり、且つ連結部2 が前壁及び後壁において互いに対向して設けられてなるので、図４に示す如く突部28と段部29とが互いに嵌入されるため、把手の把持部22,22 同士の軸方向の滑りを防止することができる。
【００２６】
さらに、上記の如く突部28と段部29とが互いに嵌入された一対の把持部22,22 を把持して、運搬するのであるが、把持部22にはリング状部材27, …が複数突設されてなるので、手が滑りにくいという利点を有するとともに、連結部2 が前壁及び後壁において互いに対向して設けられてなるので、バケツ本体1 をバランス良く持ち上げることができるとい利点を有する。
【００２７】
そして、所望の位置（釣り場）まで運搬した後に、邪魔にならないように把手20を垂れ下がらせたい場合には、把手20を下方側に回動せしめる。
なお、この際に連結孔4 内で取付軸25がバケツ本体1 の外側方向にスライドせしめることで、把手20の把持部22がバケツ本体1 の内側に若干位置するので、把手20がより邪魔にならないように位置せしめることもできる。
【００２８】
一方、把手20を立てておきたい場合には、連結孔4 内で取付軸25をバケツ本体1 の外側にスライドせしめると把手20の上端部がバケツ本体1 の内側に傾斜するので、把手20の自重で把手20の起立状態を維持することができる。
特に、把手20の柱部21が屈曲部21a で略くの字状に屈曲せしめられ、起立状態にある把手20の重心がバケツ本体1 の内側に位置するので、不用意に把手20が倒れにくく、より確実に起立状態を維持せしめることができるという利点を有する。
【００２９】
また、把手20は上述の如く起立状態において突部28と段部29とが互いに嵌入可能なため、より把手20の重心がバケツ本体1 の内側に位置し、不用意な把手20の垂れ下がりを防止できるという利点を有する。
【００３０】
本実施形態のバケツは上記の如き使用できるので上述の如き利点を有するとともに、把手20及びバケツ本体1 の連結部3 が何れも合成樹脂からなるので、従来のリベットを用いたもの等と異なり、錆等の発生するおそれがないという利点を有する。
【００３１】
なお、本実施形態の釣り用バケツは、上記構成からなり、上述の利点を有するものであったが、本発明に係る釣り用バケツは、上記実施形態の如き構成に限定されるものではない。
【００３２】
つまり、上記実施形態においては、連結孔4 を長穴に形成してなるものについて説明したが、本発明はこれに限定されるものではない。
例えば、連結孔4 をその内部の下壁の外側の端部に凹部を形成せしめて、把手の起立状態を維持すべく取付軸25を外側にスライドした際に、該取付軸25が凹部に嵌まりこむように構成しても良い。
さらに、連結孔4 をその内部の上壁をバケツ本体1 の内側にかけて上方に傾斜するよう形成して、バケツ本体1 の運搬時に取付軸25が該上壁に沿ってバケツ本体1 の内側にスライドするよう構成することもできる。
【００３３】
また、上記実施形態に於いては取付軸25を前記連結孔4 の上下幅と略同一の幅の外径を有し、取付軸25が連結孔4 内部を摺動するように設けたものについて説明したが、本発明はこれに限定されるものではなく、取付軸25が連結孔4 の上下幅より小さく連結孔4 内部で隙間をもった状態でスライドするものであっても本発明の意図する範囲内である。
【００３４】
さらに、上記実施形態において取付軸25を断面円形状に形成してなるものについて説明したが、本発明はこれに限定されるものではない。
例えば、取付軸25を断面方形状等の非真円状に形成せしめておき、連結孔4 をバケツ本体1 の内側において該取付軸25が回動できるように形成し、外側部分を把手20の起立状態においてのみ取付軸25がスライドできるような大きさに形成することができるように構成することもである。
【００３５】
また、把手20を屈曲部21a で略くの字状に屈曲せしめてなるものについて説明したが、本発明はこれに限定されるものでなく、また請求項３記載の発明もこれに限定されるものではない。例えば、把手20が全体として内側に湾曲せしめられ、重心がバケツ本体1 の内側に位置するように形成されてなるものであっても、請求項３記載の発明の意図する範囲内である。
【００３６】
【発明の効果】
以上の如く、本願発明に係る釣り用バケツは、連結孔内で取付軸を回動することで把手を上方に回動して立ち上がらせしめ、一方把手を下方に回動せしめることにより、把手を垂れ下がらせることができるとともに、把手の起立状態で取付軸をバケツ本体の外側にスライドせしめることで、把手の上端部がバケツ本体の内側に傾斜して、把手の自重で把手の起立状態を維持できるという効果を奏する。
【図面の簡単な説明】
【図１】本発明に係る一実施形態の釣り用バケツの一実施形態の正面図。
【図２】同実施形態の把手の正面図。
【図３】同実施形態の要部拡大側面図。
【図４】同実施形態の把持部の嵌合の状態を示す正面図。
【符号の説明】
１…バケツ本体、２…連結具、３…連結部、４…連結孔、５…嵌着部材、20…把手本体、21…柱部、21a …屈曲部、22…把持部、23…取付部、24…孔部、25…取付軸、26…把持軸体、27…リング状部材、27a …外周面、27b …傾斜面、28…突出部、29…段部、Ｃ…中間位置、Ｌ…リング部材の間隔
【図１】
0003795214.tif 000002
【図２】
0003795214.tif 000003
【図３】
0003795214.tif 000004
【図４】
0003795214.tif 000005